(57)【要約】【課題】表示パネルの周囲に設けられたケーブルが筐体の縁及びリブから外れることを防止する。【解決手段】情報処理装置１００は、表示パネル３と、表示パネルを内包する筐体２と、筐体の縁から所定の間隔を開けて設けられ表示パネルの位置決めをするリブ４と、表示パネルとリブとの間に設けられる固定具５を備える。固定具は、固定具から筐体の縁方向に延びるフランジ部５１を備え、筐体の縁とリブとの間に配線されるケーブル６の移動がフランジ部により阻止されることで、ケーブルが筐体の縁及びリブから外れることが防止される。【選択図】図６
2018067097.tif 000002
【特許請求の範囲】
【請求項１】
表示パネルと、
前記表示パネルを内包する筐体と、
前記筐体の縁から所定の間隔のあけて設けられ、前記表示パネルの位置決めをするリブと、
前記表示パネルと前記リブとの間に設けられる固定具と、を備え、
前記固定具は、前記固定具から前記筐体の縁方向に延びて、前記筐体の縁と前記リブとの間に配線されるケーブルの移動を阻止するフランジ部を有する、
情報処理装置。
【請求項２】
前記固定具は、一方の面で前記リブに当接し前記一方の面の反対側にある他方の面で前記表示パネルの側面の一部に当接する壁部と、前記フランジ部から突出して前記リブを前記壁部との間で挟み込む突出部をさらに備える、請求項１に記載の情報処理装置。
【請求項３】
表示パネルとの筐体内のリブと間に設置される、前記表示パネルの位置決めをする固定具であって、
一方の面で前記表示パネルの側面の一部に当接し、前記一方の面の反対側にある他方の面で前記リブに当接する壁部と、
前記壁部の一方の端部から、前記表示パネルの裏面を受けるように延びる受け部と、
前記壁部の他方の端部から、前記受け部とは反対側に延びるフランジ部と、
を備える、固定具。
【請求項４】
さらに、前記フランジ部から突出して、前記リブを前記壁部との間で挟み込む突出部を備える、請求項３に記載の固定具。
【発明の詳細な説明】
【技術分野】
【０００１】
本出願は表示パネルを備える情報処理装置及び表示パネルを固定する固定具に関する。
【背景技術】
【０００２】
ノートブック型パーソナルコンピュータ（以下、ノートパソコンと称する）等の情報処理装置は可搬性が重視されており、小型化又は薄型化が進められている。例えば、薄型化のために従来は液晶ディスプレイ（Ｌｉｑｕｉｄ  Ｃｒｙｓｔａｌ  Ｄｉｓｐｌａｙ：ＬＣＤ）等の表示パネルの背面に配置された無線アンテナのケーブル等が、ディスプレイ部分の縁の内側に沿って本体側まで這わされるようになった。さらに、情報処理装置の小幅化に伴い、ディスプレイ部分も狭額化され、ディスプレイ部分の縁の近傍まで表示パネルが設置されるようになっている。そのため、ケーブルは限られたスペース内で、はみ出さないよう確実に固定されることが求められている。特許文献１には、表示パネルの外周を囲む筐体フレームにアンテナ等のケーブルを配置したノートパソコンが開示される。
【先行技術文献】
【特許文献】
【０００３】
【特許文献１】特開２０１３−７６９３８号公報
【発明の概要】
【発明が解決しようとする課題】
【０００４】
ノートパソコンのディスプレイ部分の筐体内部には、表示パネルを位置決めするためのリブが、筐体の縁から所定の間隔をあけて設けられる。そして、リブの表示パネル側にスポンジ又はゴムなどの緩衝材による固定具を入れることにより表示パネルが位置決めされる。そして、ケーブルをリブと筐体の縁の間に這わせることで、ケーブルが表示パネルによって傷つけられることを回避している。しかしながら、ディスプレイ部分の筐体に上蓋を嵌める際、ケーブルがリブの上にはみ出て、筐体と上蓋との間にケーブルが挟まれることがあった。このため、ケーブルのリブの上へのはみ出しを回避するために、ケーブルを両面テープ等で筐体に固定すると、組み立ての作業数が多くなるという課題があった。
【０００５】
１つの側面では、ケーブルがリブと筐体の縁の外に出ることを防ぐことが可能な情報処理装置を提供することを目的とする。
【課題を解決するための手段】
【０００６】
１つの形態によれば、表示パネルと、表示パネルを内包する筐体と、筐体の縁から所定の間隔をあけて設けられ、表示パネルの位置決めをするリブと、表示パネルとリブとの間に設けられる固定具と、を備え、固定具は、固定具から筐体の縁方向に延びて、筐体の縁とリブとの間に配線されるケーブルの移動を阻止するフランジ部を有する、情報処理装置が提供される。
【０００７】
他の形態によれば、表示パネルとの筐体内のリブと間に設置される、表示パネルの位置決めをする固定具であって、一方の面で表示パネルの側面の一部に当接し、前記一方の面の反対側にある他方の面でリブに当接する壁部と、壁部の一方の端部から、表示パネルの裏面を受けるように延びる受け部と、壁部の他方の端部から、受け部とは反対側に延びるフランジ部と、を備える、固定具が提供される。
【発明の効果】
【０００８】
ケーブルがリブと筐体の縁の外に出ることを防ぐことができる情報処理装置を提供することできる。
【図面の簡単な説明】
【０００９】
【図１】開示の情報処理装置を示す斜視図である。
【図２】開示の情報処理装置のディスプレイ部であって、上蓋を取り外した状態を示す斜視図である。
【図３】図２の部分Ａを拡大して示す部分斜視図である。
【図４】図３に示す部分の分解斜視図である。
【図５】（ａ）は比較技術の情報処理装置のディスプレイ部であって、上蓋を取り外した状態を示す分解斜視図であり、（ｂ）は表示パネルを位置決めする構造を示す部分斜視図である。
【図６】図３のＶＩ−ＶＩ線に沿った断面図である。
【図７】（ａ）は開示する情報処理装置で用いる固定具を上方斜めから見た斜視図であり、（ｂ）は固定具を下方斜めから見た斜視図である。
【図８】（ａ）及び（ｂ）は固定具の別例を示す図であり、（ａ）は固定具を上方斜めから見た斜視図、（ｂ）は下方斜めから見た斜視図である。
【図９】情報機器の筐体を示す部分斜視図であり、リブの形状を示す図である。
【図１０】固定具の別例を示す断面図である。
【発明を実施するための形態】
【００１０】
以下、添付図面を用いて本出願の実施の形態を、具体的な実施例に基づいて詳細に説明する。また、以下の実施の形態において同一又は類似の要素には共通の参照符号を付けて示し、理解を容易にするために、これらの図面は縮尺を適宜変更している。
【００１１】
図１は、本実施形態の情報処理装置の一例であるノートパソコン１００を示す斜視図である。ノートパソコン１００は、本体装置１０１と、本体装置１０１の後端部にヒンジを介して開閉されるディスプレイ部分１０２とを備える。図１は、ディスプレイ部分１０２が開いた状態を示している。
【００１２】
本体装置１０１の内部には、図示しないＣｅｎｔｒａｌ  Ｐｒｏｃｅｓｓｉｎｇ  Ｕｎｉｔ（ＣＰＵ）等の電子部品を搭載する回路基板が収納されている。本体装置１０１の上面にはキーボード及びタッチパネル等の入力機器が設けられている。ディスプレイ部分１０２は、ＬＣＤである表示パネル３と、表示パネル３を収納する筐体２とを有している。
【００１３】
図２は、ノートパソコン１００のディスプレイ部分１０２の内部を示す斜視図であり、ディスプレイ部分１０２の上蓋（図示しない）を取り外した状態を示す図である。図３は図２の部分Ａを拡大して示す斜視図である。表示パネル３は、図２に示すように、全体として矩形形状に形成されている。筐体２内には、筐体２の縁部２１（図３参照）から所定の間隔をあけて配置され、表示パネル３の位置決めするリブ４（図４参照）が形成されている。表示パネル３は、その四隅において表示パネル３とリブ４との間に設けられた四つの固定具５の間に嵌め込まれて筐体２に位置決めされる。表示パネル３の周囲には、筐体２の縁部２１とリブ４との間に、表示パネル、アンテナ及びカメラ等と本体装置１０１とを接続するケーブル６が配線される。表示パネル３の四隅に配置された固定具５の機能及び構造は同じであるため、以下では図２の部分Ａに示される固定具５について説明する。
【００１４】
ここで、比較技術の情報処理装置であるノートパソコンについて図５を用いて説明する。図５（ａ）は、比較技術のノートパソコンのディスプレイ部分２０２の構造を示す分解斜視図、図５（ｂ）は（ａ）の部分Ｂを拡大して示す図で、表示パネル３を位置決めする構造を示す部分斜視図である。
【００１５】
比較技術の表示パネル３は、ディスプレイ部分２０２の筐体２に内包される。表示パネル３は、図５（ｂ）に示すように、その四隅がディスプレイ部分２０２に設けられたリブ６１に貼り付けたスポンジ６２により位置決めされる。そして、比較技術のノートパソコンでは、表示パネル３の周囲に沿ってリブ６１と筐体２の縁部２１との間にケーブル６が這わされている。ケーブル６はリブ６１に沿わせて曲げられるため、ケーブル６自体の曲げ反力により、ケーブル６がリブ６１に乗り上げることが発生しやすく、ケーブル６の浮きは、特に表示パネル３の四隅の近傍で大きくなる。比較技術のノートパソコンでは、表示パネル３の四隅のリブ６１の脇に両面テープ６３を設け、両面テープ６３にケーブル６を貼り付けることで浮きを抑制する場合がある。ただし、同軸ケーブル等、外皮の表面処理によっては両面テープ６３に貼り付きづらい場合があった。また、ディスプレイ部分２０２を組み立てる際、ディスプレイ部分２０２のリブ６１にスポンジ６２を貼り付けたり、ケーブル６を固定するために両面テープ６３を筐体に貼り付けたりするという非常に細かい作業が要求された。
【００１６】
一方、本実施形態のノートパソコン１００は、図６に示すように、表示パネル３を筐体２に位置決めしたとき、固定具５から、筐体２の縁方向（矢印Ｃ）、すなわち筐体２の縁部２１に向かって延びるよう設けられたフランジ部５１を備える。そのため、リブ４と筐体２の縁部２１との間に配線されたケーブル６の移動が、フランジ部５１により阻止される。それにより、ケーブル６の浮き、例えばディスプレイ部分１０２を組み立てる際にケーブル６がリブ４と筐体２の縁部２１の外に出ることが防止される。ケーブル６の浮きが防止されるため上蓋を取り付ける際に、ケーブル６が筐体２と上蓋に挟み込まれることがないる。
【００１７】
固定具５は壁部５２を備え、壁部５２は、一方の面５２ｃで表示パネル３の側面３１の一部に当接し、一方の面５２ｃの反対側の他方の面５２ｄでリブ４に当接する。また、固定具５は、壁部５２の一方の端部５２ａから、表示パネル３の裏面３２を受けるように延びる受け部５３を有する。固定具５のフランジ部５１は、図６に示すように壁部５２の他方の端部５２ｂから、受け部５３とは反対側に延びる。固定具５は、さらに、フランジ部５１からリブ４側に突出して、壁部５２と協働してリブ４を挟み込む突出部５４ａを備える。
【００１８】
図６では、表示パネル３の短辺方向の側面３１の一部に当接する壁部５２とフランジ部５１と示している。固定具５には、図７（ａ）及び図７（ｂ）に示すように表示パネル３の長辺方向の側面３３（図４参照）に当接する壁部５２及び突出部５４ｂ（以下、突出部５４ａ、５４ｂをまとめて突出部５４と称する場合がある）が形成されている。
【００１９】
ノートパソコン１００を作製する際、製造者は、ケーブル６を筐体２の縁部２１とリブ４との間の溝に這わせる。その後、製造者は、リブ４が突出部５４と壁部５２の間に挿入されるよう、すなわち、突出部５４及び壁部５２によりリブ４が挟み込まれるよう、固定具５を設置する。突出部５４と壁部５２によりリブ４を挟み込むことで、製造者は、固定具５を容易に筐体２に対して固定することができる。
【００２０】
本実施形態の固定具５はゴム製（ラバー製）の成型品である。また、固定具５は、樹脂により形成されてもよい。また、図８に示すように、固定具５と表示パネル３が当接する箇所、具体的には図８の斜線部分をゴム製とし他の部分を樹脂製とした二色成型による固定具５ａを形成してもよい。
【００２１】
図５に示す比較技術のノートパソコンでは、表示パネル３及びケーブル６を筐体２に位置決めするために、多数のスポンジ又は両面テープを用いていたが、本実施形態では、四隅に配置された四つの固定具５のみで表示パネル３を位置決めすることが可能となる。そのため、部品点数を削減することができる。また、固定具５の設置も、リブ４に突出部５４と壁部５２を嵌め込むことによりできるため、比較技術のノートパソコンのように、スポンジ６２をリブ６１に貼り付ける等の細かい作業をする必要がなくなる。
【００２２】
図９は、筐体２に形成されたリブ４の形状を示す斜視図である。リブ４は、表示パネル３を位置決めするために、表示パネルの四隅に対応するよう平面視でＬ字形になるよう形成されている。すなわち、リブ４は、表示パネル３の隅の直交する側面３１、３３に対向するようにリブ４ａ、４ｂの連続体として形成される。また、図７に示した、固定具５の突出部５４ａ、５４ｂの嵌め込みを容易にするために、突出部５４ａ、５４ｂのそれぞれの幅に応じて設けられた一対の突起部４１ａ、４１ｂが設けられている。突起部４１ａ、４１ｂを形成することで、固定具５の位置合わせが容易になる。
【００２３】
また、固定具５の壁部５２から縁方向に延びるフランジ部５１の長さＬ１（図６参照）は、筐体２の縁部２１とリブ４との間の長さＬ０によって決められる。長さＬ１は、縁部２１に当接する長さ、すなわちＬ０と略同じになるよう設けられてもよい。また、図６に示すよう、例えば、縁部２１とフランジ部５１の先端との間がケーブル６の直径よりも小さい距離であれば、フランジ部５１の長さＬ１は、筐体２の縁部２１とリブ４との間の長さＬ０より短く形成されてもよい。また、図１０に示す固定具５ａの突出部５４ａのように、突出部５４ａの外側の断面形状は、ケーブル６の断面形状に対応する波形の形状にして、固定具５ａを設置した際にケーブル６の位置がずれるのを防止されるように形成されてもよい。なお、本実施形態の情報処理装置としてノートパソコンが一例として示されているが、情報処理装置は表示パネルを用いる装置、例えばスマートフォン、携帯電話機、又は、タブレット等であってもよい。
【００２４】
以上、本出願を特にその好ましい実施の形態を参照して詳細に説明した。本出願の容易な理解のために、本出願の具体的な形態を以下に付記する。
【００２５】
（付記１）表示パネルと、
前記表示パネルを内包する筐体と、
前記筐体の縁から所定の間隔をあけて設けられ、前記表示パネルの位置決めをするリブと、
前記表示パネルと前記リブとの間に設けられる固定具と、を備え、
前記固定具は、前記固定具から前記筐体の縁方向に延びて、前記筐体の縁と前記リブとの間に配線されるケーブルの移動を阻止するフランジ部を有する、情報処理装置。
（付記２）前記固定具は、一方の面で前記リブに当接し、前記一方の面の反対側の他方の面で前記表示パネルの側面の一部に当接する壁部と、前記フランジ部から突出して前記リブを前記壁部との間で挟み込む突出部をさらに備える、付記１に記載の情報処理装置。
（付記３）表示パネルとの筐体内のリブと間に設置される、前記表示パネルの位置決めをする固定具であって、
一方の面で前記表示パネルの側面の一部に当接し、前記一方の面の反対側にある他方の面で前記リブに当接する壁部と、
前記壁部の一方の端部から、前記表示パネルの裏面を受けるように延びる受け部と、
前記壁部の他方の端部から、前記受け部とは反対側に延びるフランジ部と、
を備える、固定具。
（付記４）さらに、前記フランジ部から突出して、前記リブを前記壁部との間で挟み込む突出部を備える、付記３に記載の固定具。
（付記５）前記突出部の外側の断面がケーブルの外形に合わせた波状に形成される、付記４に記載の固定具。
【符号の説明】
【００２６】
１００    ノートパソコン
１０１    本体装置
１０２    ディスプレイ部分
２    筐体
２１    縁部
３    表示パネル
４    リブ
５    固定具
５１    フランジ部
５２    壁部
５３    受け部
５４、５４ａ、５４ｂ    突出部
６    ケーブル
６１    リブ
６２    スポンジ
６３    両面テープ
【図１】
2018067097.tif 000003
【図２】
2018067097.tif 000004
【図３】
2018067097.tif 000005
【図４】
2018067097.tif 000006
【図５】
2018067097.tif 000007
【図６】
2018067097.tif 000008
【図７】
2018067097.tif 000009
【図８】
2018067097.tif 000010
【図９】
2018067097.tif 000011
【図１０】
2018067097.tif 000012